(57)【要約】【課題】  ティシュペーパー取出し用開閉口に樹脂フィルムその他の異質部材を使用しないで、起伏式両開き扉方式のティシュペーパー取出し用開閉口を形成し、両扉の合せ口の中央部を除く部分でポップアップしたシートの保持を行い、当該中央部を初回のティシュペーパー取出しおよびドロップバックしたシートの引き出しのための引き出し口にしたティシュペーパー収納箱を提供する。【解決手段】  ポップアップ式に取出すように交互に積層されたティシュペーパーを収める箱体の天面にティシュペーパー取出し用開閉口を備えたティシュペーパー収納箱において、該取出し用開閉口を長辺部を基部とする左右の起伏式扉片で形成し、これら左右の扉片の閉扉時に相接する辺縁に沿って少なくとも左右幅が上記扉片の開閉幅の１／２未満の大きさの箱内ティシュペーパー抓み出し用凹部を上記辺縁に設けたことを特徴とするティシュペーパー収納箱。【選択図】  図７
2005212837.tif 000002
【特許請求の範囲】
【請求項１】
ポップアップ式に取出すように交互に積層されたティシュペーパーを収める箱体の天面にティシュペーパー取出し用開閉口を備えたティシュペーパー収納箱において、該取出し用開閉口を長辺部を基部とする左右の起伏式扉片で形成し、これら左右の扉片の閉扉時に相接する辺縁に沿って少なくとも左右幅が上記扉片の開閉幅の１／２未満の大きさの箱内ティシュペーパー抓み出し用凹部を上記辺縁に設けたことを特徴とするティシュペーパー収納箱。
【請求項２】
箱内ティシュペーパー抓み出し用凹部を辺縁の長手方向中央部に設けた請求項１記載のティシュペーパー収納箱。
【請求項３】
箱内ティシュペーパー抓み出し用凹部が両扉の相接する辺縁全長の１／４〜１／２に亘って設けられている請求項１または２記載のティシュペーパー収納箱。
【請求項４】
箱内ティシュペーパー抓み出し用凹部形成片が左右いずれかの扉片に接続しているか或いは左右の各扉片に左右分割して接続されている請求項１から３までのいずれか１項記載のティシュペーパー収納箱。
【請求項５】
箱内ティシュペーパー抓み出し用凹部形成片が罫線を介して扉片に接続されて箱体内側に折り込むことができる請求項１から４までのいずれか１項記載のティシュペーパー収納箱。
【請求項６】
ポップアップ式に取出すように交互に積層されたティシュペーパーを収める箱体の天面に、該天面の長手方向に沿って上下長尺の起伏式扉片を両開き式に左右に相接してミシン目で区割形成し、左右の扉片を区割するミシン目の上下長手方向中央部で、左および右幅が上記の対応する扉片の開閉幅の各１／２未満でかつ上下長さが左右の扉片を区割りするミシン目の１／４〜１／２の大きさの箱内ティシュペーパー抓み出し用凹部形成片を少なくとも左右いずれか一方の扉片からミシン目で区割りしていることを特徴とするティシュペーパー取出し用開閉口を形成しうるティシュペーパー収納箱。
【請求項７】
ティシュペーパー取出し用開閉口に樹脂フィルムその他の異質部材を使用していない請求項１から６までのいずれか１項記載のティシュペーパー収納箱。
【請求項８】
中央部の箱内ティシュペーパー抓み出し用凹部を除く左右の扉片の閉扉時に相接する上下対をなす辺縁でポップアップしたシートの保持を行う請求項１から７までのいずれか１項記載のティシュペーパー収納箱。
【請求項９】
中央部の箱内ティシュペーパー抓み出し用凹部で初回のティシュペーパー取出しおよびドロップバックしたときのシートの引き出しを行う請求項１から８までのいずれか１項記載のティシュペーパー収納箱。
【発明の詳細な説明】
【技術分野】
【０００１】
本発明はティシュペーパー等の収納箱に関する。
【背景技術】
【０００２】
ティシュペーパー等の収納箱の取出し口には、ポリフィルムが内貼りされ、埃等の混入防止や取出し易さに寄与しているが、使用した後で分別廃棄する際には、本体とフィルムとを分別する手間が必要となることがあった。これまでにもフィルムを用いずに使用できるようにした収納箱について多くの出願があるが、これらは開封時にミシン目を切取ることによりごみが出たり、シートが落ち込み易かったり、取出し時にシートが破断しやすいなどの不具合点があった。
【０００３】
【特許文献１】実開昭５７−１６７０８０号公報
【特許文献２】実開平５−３１６９号公報
【発明の開示】
【発明が解決しようとする課題】
【０００４】
ティシュペーパー取出し用開閉口に樹脂フィルムその他の異質部材を使用しないで、起伏式両開き扉方式のティシュペーパー取出し用開閉口を形成し、両扉の合せ口の中央部を除く部分でポップアップ（一枚のシートを取出すと次のシートの一部が連続して出てくる状態）したシートの保持を行い、当該中央部を初回のティシュペーパー取出しおよびドロップバック（ティシュペーパーを箱から取出した時、次のシートの一部が出てこずに箱の中に戻ってしまう状態）したシートの引き出しのための引き出し口にしたティシュペーパー収納箱を提供する。
【課題を解決するための手段】
【０００５】
本発明はポップアップ式に取出すように交互に積層されたティシュペーパーを収める箱体の天面にティシュペーパー取出し用開閉口を備えたティシュペーパー収納箱において、該取出し用開閉口を長辺部を基部とする左右の起伏式扉片で形成し、これら左右の扉片の閉扉時に相接する辺縁に沿って少なくとも左右幅が上記扉片の開閉幅の１／２未満の大きさの箱内ティシュペーパー抓み出し用凹部を上記辺縁に設けたことを特徴とする。
【０００６】
また本発明はポップアップ式に取出すように交互に積層されたティシュペーパーを収める箱体の取出し用開口において、下記のような特徴を有する。
（ａ）取出口の長辺部を基部とする開閉用引き起こし片を前後に設け、該片の対向する先端中央部には引き起こし片の１／２未満の高さの凹部を引き起こし片全長の１／４以上設ける。
（ｂ）凹部は、前後別々あるいは前後共用で形成しても良い。また罫線で内側に折りこむようにすれば切取り片の処理が不要となる。
（ｃ）中央部を除く引き起こし片によりポップアップしたシートの保持を行い、中央部の凹部では、初回取出し及び、ドロップバックしたシートの引き出しのための引き出し口とする。
【０００７】
本発明の特徴を要約して列記すると次の通りである。
（１）箱内ティシュペーパー抓み出し用凹部が両扉の相接する辺縁全長の１／４〜１／２に亘って設けられている。
（２）箱内ティシュペーパー抓み出し用凹部形成片が左右いずれかの扉片に接続しているか或いは左右の各扉片に左右分割して接続されている。
（３）箱内ティシュペーパー抓み出し用凹部形成片が罫線を介して扉片に接続されて箱体内に折り込むことができる。
【０００８】
（４）ポップアップ式に取出すように交互に積層されたティシュペーパーを収める箱体の天面に、該天面の長手方向に沿って上下長尺の起伏式扉片を両開き式に左右に相接してミシン目で区割形成し、左右の扉片を区割するミシン目の上下長手方向中央部で、左および右幅が上記の対応する扉片の開閉幅の各１／２未満でかつ上下長さが左右の扉片を区割りするミシン目の１／４〜１／２の大きさの箱内ティシュペーパー抓み出し用凹部形成片を少なくとも左右いずれか一方の扉片からミシン目で区割りしている。
（５）ティシュペーパー取出し用開閉口に樹脂フィルムその他の異質部材を使用していない。
（６）中央部の箱内ティシュペーパー抓み出し用凹部を除く左右の扉片の閉扉時に相接する上下対をなす辺縁でポップアップしたシートの保持を行う。
（７）中央部の箱内ティシュペーパー抓み出し用凹部で初回のティシュペーパー取出しおよびドロップバックしたときのシートの引き出しを行う。
【発明の効果】
【０００９】
（１）中央凹部により初回シートやドロップバックしたシートの取出しがしやすい。
（２）引き起こし片は全長に亘り１枚で形成されており、開封、収納が容易である。
（３）凹部を罫線により連接した場合には、開封時にミシン目部のごみ処置の手間を省くことができる。使用後にはそのまま廃棄することができる。
（４）引き起こし片の中央部を除く部分でシートを保持するため従来のようなドロップバックが少ない。
（５）大きな円状や細長片状のミシン目部を切り取るものに比べて、埃等の混入が少ない。
（６）フィルムやその固定のための資材、製造コストの削減が期待できる。
【発明を実施するための最良の形態】
【００１０】
以下に本発明を図面に示した実施例により説明するが、本発明はこれのみによって制約されるものではない。
【００１１】
[従来例１]
図１はティシュペーパー収納箱の斜視図、図２は同上のティシュペーパー取出口の平面図を示し、その取出口は左右の起伏式扉片を設け、この左右の扉片の長手方向中央部に左右の扉片の総巾を上回る大径の切り取部を設けている。
【００１２】
[従来例２]
図３はテュシュペーパー収納箱の斜視図、図４は同上のティシュペーパー取出口の平面図を示し、左右の起伏式扉片の間に長手方向の切り片を介在させている。
【実施例１】
【００１３】
図５はティシュ収納箱の斜視図、図６は該収納箱の天面の平面を示す。
ティシュペーパー取出し用開閉口は長辺部を基部とする左右の起伏式扉片（１）（２）で形成され、これら左右の扉片（１）（２）が閉扉時に相接する辺縁（３）に沿った中央部に凹部（４）を設けてある。
凹部（４）は罫線（５）を介して扉片（１）に接続している。
凹部（４）は罫線（５）で内側に折込んで使用するのを原則とするが、場合によっては罫線（５）に沿って扉片（１）から切り取ってもよい。
扉片（１）（２）の前記長辺部（６）（７）は罫線としこれを例えば３００〜７００Ｒの外側に湾状に張り出した凸曲線形状とすればその戻りバネ効果により両扉（１）（２）を両扉状態に維持するのが容易となる。
【実施例２】
【００１４】
図７は実施例１におけるティシュペーパー取出し用開閉口の各所サイズを示した詳細図で、ティシュ収納箱の天面（８）の長手方向の長さを（Ｌ）巾方向の長さを（Ｄ）とするとき両扉（１）（２）の長手方向の長さ（ｌ）は（Ｌ）の６５〜８５％、両扉（１）（２）の総和幅長（ｄ）は（Ｄ）の２５〜５０％の範囲内で適宜に設定される。
また凹部（４）の長手方向の長さ（ｔ）は（ｌ）の２５〜５０％、また凹部（４）の幅方向の長さは基部（６）（７）と対応する凹部（４）の長手辺縁との間隔（ｇ）が凹部（４）の高さ（ｈ）の５０〜８５％の範囲内で適宜に設定される。
【図面の簡単な説明】
【００１５】
【図１】従来例１のティシュ収納箱の斜視図。
【図２】同上のティシュ取出し用開閉口の平面図。
【図３】従来例２のティシュ収納箱の斜視図。
【図４】同上のティシュ取出し用開閉口の平面図。
【図５】本発明の実施例１のティシュ収納箱の斜視図。
【図６】同上収納箱の天面の平面図。
【図７】本発明の実施例２のティシュ収納箱の天面の平面図。
【符号の説明】
【００１６】
１……扉片
２……扉片
３……左右の扉片の辺縁
４……凹部
５……罫線
６……扉片（１）の基部
７……扉片（２）の基部
８……天面
Ｌ……天面の長さ
Ｄ……天面の幅
ｌ……扉片の長手方向の長さ
ｄ……扉片の幅方向の総和
ｈ……凹部の幅方向の高さ
ｇ……凹部の罫線基部と扉片基部との間隔
【図１】
2005212837.tif 000003
【図２】
2005212837.tif 000004
【図３】
2005212837.tif 000005
【図４】
2005212837.tif 000006
【図５】
2005212837.tif 000007
【図６】
2005212837.tif 000008
【図７】
2005212837.tif 000009